(57)【要約】【課題】シートガイドを適正な位置に固定することができ、印字開始位置を精度良く設定することができ、画像形成装置のコストを低くすることができるようにする。【解決手段】媒体をセットするためのステージＳｇに移動自在に配設されたシートガイドＧｄを所定の位置に固定するようになっている。弾性を有する線状体を折り曲げることによって形成され、前記ステージＳｇに対して着脱自在に取り付けられ、前記ステージＳｇに取り付けられたときに所定の付勢力を発生させてステージＳｇに加える付勢力発生部、及びシートガイドＧｄの移動を規制する規制部を備える。シートガイドＧｄを規制部に突き当てることによってシートガイドＧｄを適正な位置に固定することができる。印字開始位置を精度良く設定することができる。【選択図】図１
2019006537.tif 000002
【特許請求の範囲】
【請求項１】
媒体をセットするためのステージに移動自在に配設されたシートガイドを所定の位置に固定するシートガイド規制部材において、
（ａ）弾性を有する線状体を折り曲げることによって形成され、
（ｂ）前記ステージに対して着脱自在に取り付けられ、
（ｃ）前記ステージに取り付けられたときに所定の付勢力を発生させてステージに加える付勢力発生部、及びシートガイドの移動を規制する規制部を備えることを特徴とするシートガイド規制部材。
【請求項２】
前記規制部は媒体の搬送方向に延在させられる請求項１に記載のシートガイド規制部材。
【請求項３】
前記規制部は、シートガイドの移動方向における複数の位置でシートガイドの移動を規制する請求項１又は２に記載のシートガイド規制部材。
【請求項４】
前記規制部は、シートガイドの移動方向における複数の位置に規制部位を備える請求項３に記載のシートガイド規制部材。
【請求項５】
シートガイドの移動方向における複数の位置でシートガイドの移動を規制するために、ステージに形成された複数の被係止部に係止部が係止させられる請求項３に記載のシートガイド規制部材。
【請求項６】
前記規制部及び付勢力発生部は、ステージに形成された凸部を付勢力で挟持する請求項１〜４のいずれか１項に記載のシートガイド規制部材。
【請求項７】
前記付勢力発生部は、付勢力で係止部を被係止部に係止させる請求項６に記載のシートガイド規制部材。
【発明の詳細な説明】
【技術分野】
【０００１】
本発明は、シートガイド規制部材に関するものである。
【背景技術】
【０００２】
従来、画像形成装置、例えば、印字ヘッドを備え、該印字ヘッドの印字ワイヤを選択的に前進させ、インクリボンを用紙に打ち付けて印字を行うワイヤドット式のプリンタにおいては、リボンカセットとしてのインクリボンカートリッジが着脱自在に搭載され、該インクリボンカートリッジにインクリボンが走行自在に配設されるようになっている（例えば、特許文献１参照。）。
【０００３】
前記プリンタにおいては、用紙をセットするためのステージが配設され、該ステージ上にシートガイドが左右に移動自在に配設される。
【０００４】
図２は従来のプリンタの第１の斜視図、図３は従来のプリンタの第２の斜視図、図４はシートガイドを所定の位置に固定することができるようにした従来のプリンタを示す図である。
【０００５】
図において、１０は媒体としての用紙Ｐに対して印刷を行うプリンタ、Ｃｓはプリンタ１０の筐体であり、該筐体Ｃｓは、印刷を行うための図示されない印刷機構部を下方から覆うロワカバーＬｃ、及び前記印刷機構部を上方から覆うアッパカバーＵｃを備える。該アッパカバーＵｃは、カバー本体部Ｂｄ、用紙ＰをセットするためのステージＳｇ、及び前記カバー本体部Ｂｄに対して揺動自在に配設されたアクセスカバーＡｃを備える。
【０００６】
そして、前記ステージＳｇには用紙Ｐを案内するためのシートガイドＧｄが左右方向（矢印Ａ方向）に移動自在に配設され、操作者は、シートガイドＧｄを所定の位置に置くことによって、用紙Ｐの印字開始位置を設定するようにしている。
【先行技術文献】
【特許文献】
【０００７】
【特許文献１】特開平８−２０１４６号公報
【発明の概要】
【発明が解決しようとする課題】
【０００８】
しかしながら、従来のプリンタ１０においては、操作者がシートガイドＧｄの位置を任意に調整することができるようになっているので、操作者によっては、シートガイドＧｄが適正な位置に置かれず、印字開始位置を精度良く設定することができない。
【０００９】
そこで、図４に示されるように、シートガイドＧｄに摘み１１が配設され、該摘み１１を矢印Ｂ方向に回転させることによって、シートガイドＧｄの位置を固定したり、変化させたりすることができるようにしたプリンタが提供されているが、該プリンタにおいては、シートガイドＧｄを移動させるための機構が複雑であり、プリンタのコストが高くなってしまう。
【００１０】
本発明は、前記従来のプリンタの問題点を解決して、シートガイドを適正な位置に固定することができ、印字開始位置を精度良く設定することができ、画像形成装置のコストを低くすることができるシートガイド規制部材を提供することを目的とする。
【課題を解決するための手段】
【００１１】
そのために、本発明のシートガイド規制部材においては、媒体をセットするためのステージに移動自在に配設されたシートガイドを所定の位置に固定するようになっている。
【００１２】
そして、弾性を有する線状体を折り曲げることによって形成され、前記ステージに対して着脱自在に取り付けられ、前記ステージに取り付けられたときに所定の付勢力を発生させてステージに加える付勢力発生部、及びシートガイドの移動を規制する規制部を備える。
【発明の効果】
【００１３】
本発明によれば、シートガイド規制部材においては、媒体をセットするためのステージに移動自在に配設されたシートガイドを所定の位置に固定するようになっている。
【００１４】
そして、弾性を有する線状体を折り曲げることによって形成され、前記ステージに対して着脱自在に取り付けられ、前記ステージに取り付けられたときに所定の付勢力を発生させてステージに加える付勢力発生部、及びシートガイドの移動を規制する規制部を備える。
【００１５】
この場合、シートガイド規制部材が、ステージに対して着脱自在に取り付けられ、ステージに取り付けられたときに所定の付勢力を発生させてステージに加える付勢力発生部、及びシートガイドの移動を規制する規制部を備えるので、シートガイドを規制部に突き当てることによってシートガイドを適正な位置に固定することができる。したがって、印字開始位置を精度良く設定することができる。
【００１６】
また、シートガイド規制部材をステージに取り付けるだけでシートガイドが固定されるので、シートガイドを移動させるための機構を簡素化することができ、画像形成装置のコストを低くすることができる。
【図面の簡単な説明】
【００１７】
【図１】本発明の第１の実施の形態におけるステージの斜視図である。
【図２】従来のプリンタの第１の斜視図である。
【図３】従来のプリンタの第２の斜視図である。
【図４】シートガイドを所定の位置に固定することができるようにした従来のプリンタを示す図である。
【図５】本発明の第１の実施の形態におけるプリンタのアクセスカバーを開放した状態を示す斜視図である。
【図６】本発明の第１の実施の形態におけるワイヤスペーサの斜視図である。
【図７】本発明の第１の実施の形態におけるワイヤスペーサの取付状態を示す第１の図である。
【図８】本発明の第１の実施の形態におけるワイヤスペーサの取付状態を示す第２の図である。
【図９】本発明の第１の実施の形態におけるシートガイドの動作を説明するための図である。
【図１０】本発明の第２の実施の形態におけるステージの第１の状態を示す斜視図である。
【図１１】本発明の第２の実施の形態におけるワイヤスペーサの斜視図である。
【図１２】本発明の第２の実施の形態におけるワイヤスペーサの第１の取付状態を示す図である。
【図１３】本発明の第２の実施の形態におけるステージの第２の状態を示す斜視図である。
【図１４】本発明の第２の実施の形態におけるワイヤスペーサの第２の取付状態を示す図である。
【図１５】本発明の第３の実施の形態におけるステージを示す斜視図である。
【図１６】本発明の第３の実施の形態におけるワイヤスペーサの斜視図である。
【図１７】本発明の第３の実施の形態におけるステージに形成されたワイヤスペーサの取付部を示す図である。
【図１８】本発明の第３の実施の形態におけるワイヤスペーサをステージに取り付ける第１の状態を示す斜視図である。
【図１９】本発明の第３の実施の形態におけるワイヤスペーサをステージに取り付ける第１の状態を示す平面図である。
【図２０】本発明の第３の実施の形態におけるワイヤスペーサをステージに取り付ける第２の状態を示す斜視図である。
【図２１】本発明の第３の実施の形態におけるワイヤスペーサをステージに取り付ける第２の状態を示す平面図である。
【発明を実施するための形態】
【００１８】
以下、本発明の実施の形態について図面を参照しながら詳細に説明する。この場合、画像形成装置としてのプリンタについて説明する。
【００１９】
図５は本発明の第１の実施の形態におけるプリンタのアクセスカバーを開放した状態を示す斜視図である。
【００２０】
図において、１０は媒体としての図示されない用紙に対して印刷を行うプリンタ、Ｃｓはプリンタ１０の筐体であり、該筐体Ｃｓは、印刷を行うための印刷機構部Ｍｐを下方から覆う第１の筐体部としてのロワカバーＬｃ、及び前記印刷機構部Ｍｐを上方から覆う第２の筐体部としてのアッパカバーＵｃを備える。該アッパカバーＵｃは、カバー本体部Ｂｄ、用紙をセットするためのステージＳｇ、及び前記カバー本体部Ｂｄに対して揺動自在に配設されたアクセスカバーＡｃを備える。
【００２１】
前記ロワカバーＬｃの前面部の所定の箇所には、プリンタ１０の電源をオン・オフするための操作要素としての電源スイッチＳｗが配設される。
【００２２】
また、前記印刷機構部Ｍｐは、着脱自在に配設されたインクリボンカートリッジ１２、走査方向に移動自在に配設された印字部としての印字ヘッド１９等を備える。
【００２３】
次に、前記ステージＳｇについて説明する。
【００２４】
図１は本発明の第１の実施の形態におけるステージの斜視図、図６は本発明の第１の実施の形態におけるワイヤスペーサの斜視図、図７は本発明の第１の実施の形態におけるワイヤスペーサの取付状態を示す第１の図、図８は本発明の第１の実施の形態におけるワイヤスペーサの取付状態を示す第２の図、図９は本発明の第１の実施の形態におけるシートガイドの動作を説明するための図である。
【００２５】
図において、Ｓｇはステージであり、該ステージＳｇは、プレート状の成形品から成り、矩形の形状を有し、前縁部Ｐｆ、左右の側縁部Ｐｓ１、Ｐｓ２及び後縁部Ｐｒを備え、上面に、用紙をセットするための載置面Ｓｅが形成される。前記側縁部Ｐｓ１、Ｐｓ２には取付部としてのワニ口状のクリップ９１が、後縁部Ｐｒには一対の差込部９２が形成され、各クリップ９１及び差込部９２を、前記ロワカバーＬｃ（図２）の所定の箇所にそれぞれ形成された図示されない被取付部及び被差込部に取り付け、差し込むことによって、ステージＳｇをプリンタ１０（図５）に取り付けることができる。
【００２６】
また、Ｇｄは、前記載置面Ｓｅに形成された開口部Ｗｄ内において、矢印Ｃ方向に移動自在に配設されたシートガイドである。該シートガイドＧｄは、ステージＳｇよりわずかに下方において用紙を支持する媒体支持部１５、及び該媒体支持部１５の側縁部Ｐｓ１側の端部において上方に向けて立ち上げて形成された押当部１６を備える。ステージＳｇ及びシートガイドＧｄには、それぞれ、係止部としての、外れ止め用の図示されないラッチが形成され、該各ラッチをガイドにして、シートガイドＧｄをステージＳｇに対して摺動させることができる。
【００２７】
したがって、操作者が、押当部１６を指で摘まみ、矢印Ｃ方向に移動させることによって、シートガイドＧｄの位置を任意に調整することができる。
【００２８】
なお、押当部１６を側縁部Ｐｓ１側に移動させると、ステージＳｇの裏面下に収容されていた媒体支持部１５が開口部Ｗｄに現れ、押当部１６を側縁部Ｐｓ２側に移動させると、媒体支持部１５がステージＳｇの裏面下に収容される。
【００２９】
そして、前記開口部Ｗｄ内には、シートガイド規制部材としてのワイヤスペーサ２１を取り付けるためのプレート状の凸部３１が、所定の幅で、側縁部Ｐｓ１側から側縁部Ｐｓ２側に向けて延在させて形成され、前記凸部３１より前縁部Ｐｆ側及び後縁部Ｐｒ側に、シートガイドＧｄが移動させられる際にシートガイドＧｄに所定の抵抗を与える抵抗面を備えた摺動部３２が形成される。
【００３０】
操作者が、押当部１６に用紙の側縁を押し当て、ステージＳｇより前方に配設された印刷機構部Ｍｐの図示されない給紙ローラ対に用紙の前縁を押し当てて、用紙をステージＳｇにセットし、プリンタ１０に配設された図示されない操作部を操作するか、プリンタ１０の上位装置としての図示されないホストコンピュータを操作するかして、プリンタ１０に印刷の開始を指示すると、ステージＳｇにセットされた用紙が印刷機構部Ｍｐに向けて搬送され、印刷機構部Ｍｐにおいて用紙に対して印刷が行われる。
【００３１】
ところで、操作者がシートガイドＧｄの位置を調整したときに、シートガイドＧｄが適正な位置に固定されないと、印字開始位置を精度良く設定することができない。
【００３２】
そこで、本実施の形態においては、シートガイド規制部材としてのワイヤスペーサ２１がステージＳｇに対して着脱自在に配設され、前記ワイヤスペーサ２１によってシートガイドＧｄが所定の位置に固定されるようになっている。
【００３３】
前記ワイヤスペーサ２１は、１本の弾性を有する線状体、本実施の形態においては、スプリングワイヤを図６に示されるように折り曲げることによって形成され、シートガイドＧｄの移動方向に対して直角の方向、すなわち、用紙の搬送方向に沿って延在させられる規制部２３、該規制部２３の両端から垂下させて形成された垂下部２４、該垂下部２４の下端から中央側に向けて延在する、付勢力発生部としての一対のアーム部２５、及び該各アーム部２５の先端に形成された曲げ部２６を備える。前記ワイヤスペーサ２１がステージＳｇに取り付けられたときに、アーム部２５は所定の付勢力を発生させてステージＳｇに加える。
【００３４】
前記規制部２３とアーム部２５との隙間は、垂下部２４に近いほど広く、曲げ部２６に近いほど狭くされ、垂下部２４の近傍における規制部２３とアーム部２５との距離をｄ１とし、曲げ部２６の近傍における規制部２３とアーム部２５との距離をｄ２としたとき、距離ｄ１、ｄ２は、
ｄ１＞ｄ２
にされる。
【００３５】
前記ワイヤスペーサ２１をステージＳｇに取り付けるに当たり、まず、操作者は、プリンタ１０からステージＳｇを取り外す。該ステージＳｇには前記凸部３１が形成されているので、操作者は、曲げ部２６の近傍における規制部２３とアーム部２５との間を広げ、ワイヤスペーサ２１を所定の位置まで矢印Ｅ方向に移動させ、凸部３１に外嵌する。なお、ワイヤスペーサ２１は所定の弾性を有するスプリングによって形成されるので、ワイヤスペーサ２１が凸部３１に取り付けられた後、図８に示されるように、凸部３１は規制部２３及びアーム部２５によって所定の付勢力によって挟持される。したがって、ワイヤスペーサ２１が凸部３１から外れることはない。
【００３６】
このようにして、ワイヤスペーサ２１がステージＳｇに取り付けられると、操作者は、ステージＳｇをプリンタ１０に取り付け、シートガイドＧｄを矢印Ｆ方向に移動させる。このとき、シートガイドＧｄがワイヤスペーサ２１の規制部２３に突き当てられ、停止させられると、その位置、すなわち、ワイヤスペーサ２１が取り付けられた位置にシートガイドＧｄが固定される。
【００３７】
なお、シートガイドＧｄがワイヤスペーサ２１の規制部２３に突き当てられるのに伴って、ワイヤスペーサ２１は凸部３１に向けて押されるので、ワイヤスペーサ２１がシートガイドＧｄの移動方向に移動することはない。
【００３８】
このように、本実施の形態においては、ワイヤスペーサ２１が、ステージＳｇに対して着脱自在に取り付けられ、ステージＳｇに取り付けられたときに所定の付勢力を発生させてステージＳｇに加えるアーム部２５、及びシートガイドＧｄの移動を規制する規制部２３を備えるので、シートガイドＧｄを規制部２３に突き当てることによって、シートガイドＧｄを適正な位置に固定することができる。したがって、印字開始位置を精度良く設定することができる。
【００３９】
すなわち、操作者がシートガイドＧｄに左側縁を当てて用紙をステージＳｇにセットし、用紙に対して印刷を行う際に、操作者ごとの印字開始位置のずれを無くすことができ、どの操作者が用紙をセットしても、印字開始位置を同じにすることができる。
【００４０】
また、ワイヤスペーサ２１をステージＳｇに取り付けるだけでシートガイドＧｄが固定されるので、シートガイドＧｄを移動させるための機構を簡素化することができ、プリンタ１０のコストを低くすることができる。
【００４１】
さらに、ワイヤスペーサ２１は、スプリングワイヤによって形成され、容易に折り曲げることができるので、専用の金型が不要になり、ワイヤスペーサ２１のコストを低くすることができる。
【００４２】
次に、本発明の第２の実施の形態について説明する。なお、第１の実施の形態と同じ構造を有するものについては、同じ符号を付与し、同じ構造を有することによる発明の効果については同実施の形態の効果を援用する。
【００４３】
図１０は本発明の第２の実施の形態におけるステージの第１の状態を示す斜視図、図１１は本発明の第２の実施の形態におけるワイヤスペーサの斜視図、図１２は本発明の第２の実施の形態におけるワイヤスペーサの第１の取付状態を示す図、図１３は本発明の第２の実施の形態におけるステージの第２の状態を示す斜視図、図１４は本発明の第２の実施の形態におけるワイヤスペーサの第２の取付状態を示す図である。
【００４４】
本実施の形態においては、ステージＳｇの開口部Ｗｄに、シートガイド規制部材としてのワイヤスペーサ４１が配設され、該ワイヤスペーサ４１によってシートガイドＧｄが固定されるようになっている。
【００４５】
そのために、前記ワイヤスペーサ４１は、１本のスプリングワイヤを図１１に示されるように折り曲げることによって形成され、ステージＳｇの前縁部Ｐｆ側から後縁部Ｐｒ側にかけて延在する規制部４３、該規制部４３の両端から垂下させて形成された垂下部２４、該垂下部２４の下端から中央側に向けて延在する付勢力発生部としての一対のアーム部２５、及び該各アーム部２５の先端に形成された曲げ部２６を備える。
【００４６】
前記規制部４３とアーム部２５との隙間は、垂下部２４に近いほど広く、曲げ部２６に近いほど狭くされる。
【００４７】
本実施の形態において、ワイヤスペーサ４１の規制部４３は、シートガイドＧｄの移動方向における複数の位置、本実施の形態においては、第１、第２の位置でシートガイドＧｄの移動を規制し、シートガイドＧｄを固定することができるように形成される。
【００４８】
そのために、前記規制部４３は、垂下部２４の上端から中央部に向けて延在する第１の規制部位４５、該第１の規制部位４５の端部から用紙の搬送方向に対して直角の方向に延在する連結部４６、及び該各連結部４６の先端間を結び、用紙の搬送方向における中央部に、シートガイドＧｄの移動方向に突出する突出部を形成する第２の規制部位４７を備える。
【００４９】
前記ワイヤスペーサ４１をステージＳｇに取り付けるに当たり、まず、操作者は、ステージＳｇをプリンタ１０から取り外す。ステージＳｇには凸部３１が形成されているので、操作者は、曲げ部２６の近傍における規制部４３とアーム部２５との間を広げ、ワイヤスペーサ４１を所定の位置まで移動させ、凸部３１に外嵌する。
【００５０】
このようにして、ワイヤスペーサ４１がステージＳｇに取り付けられると、操作者は、ステージＳｇをプリンタ１０に取り付ける。
【００５１】
この場合、図１０及び１２に示されるように、操作者が、第２の規制部位４７がステージＳｇの側縁部Ｐｓ１側に、第１の規制部位４５がステージＳｇの側縁部Ｐｓ２側に位置するようにワイヤスペーサ４１を凸部３１に外嵌すると、シートガイドＧｄは、ワイヤスペーサ４１の第１の規制部位４５に突き当てられる第１の位置に固定される。
【００５２】
また、図１３及び１４に示されるように、操作者が、第１の規制部位４５がステージＳｇの側縁部Ｐｓ１側に、第２の規制部位４７がステージＳｇの側縁部Ｐｓ２側に位置するようにワイヤスペーサ４１を凸部３１に外嵌すると、シートガイドＧｄは、ワイヤスペーサ４１の第２の規制部位４７に突き当てられる第２の位置に固定される。
【００５３】
このように、本実施の形態においては、ワイヤスペーサ４１が第１、第２の規制部位４５、４７を備えるので、操作者は、用紙のサイズ、印刷の態様に応じて、シートガイドＧｄを固定する位置を選択することができる。
【００５４】
また、本実施の形態においては、一つのワイヤスペーサ４１を使用し、凸部３１に外嵌する向きを変化させるだけで、シートガイドＧｄを固定する位置を選択することができるので、シートガイドＧｄを移動させるための機構を簡素化することができ、プリンタ１０のコストを低くすることができる。
【００５５】
次に、本発明の第３の実施の形態について説明する。なお、第１、第２の実施の形態と同じ構造を有するものについては、同じ符号を付与し、同じ構造を有することによる発明の効果については同実施の形態の効果を援用する。
【００５６】
図１５は本発明の第３の実施の形態におけるステージを示す斜視図、図１６は本発明の第３の実施の形態におけるワイヤスペーサの斜視図、図１７は本発明の第３の実施の形態におけるステージに形成されたワイヤスペーサの取付部を示す図、図１８は本発明の第３の実施の形態におけるワイヤスペーサをステージに取り付ける第１の状態を示す斜視図、図１９は本発明の第３の実施の形態におけるワイヤスペーサをステージに取り付ける第１の状態を示す平面図、図２０は本発明の第３の実施の形態におけるワイヤスペーサをステージに取り付ける第２の状態を示す斜視図、図２１は本発明の第３の実施の形態におけるワイヤスペーサをステージに取り付ける第２の状態を示す平面図である。
【００５７】
本実施の形態においては、ステージＳｇの開口部Ｗｄに、シートガイド規制部材としてのワイヤスペーサ６１が配設され、該ワイヤスペーサ６１によってシートガイドＧｄが固定されるようになっている。
【００５８】
そのために、前記ワイヤスペーサ６１は、１本のスプリングワイヤを図１６に示されるように折り曲げることによって形成され、ステージＳｇの前縁部Ｐｆ側から後縁部Ｐｒ側にかけて延在する規制部６３、該規制部６３の両端から垂下させて形成された垂下部２４、並びに該垂下部２４の下端からステージＳｇの前縁部Ｐｆ側及び後縁部Ｐｒ側に向けて延在する、ワイヤスペーサ６１側の係止部としてのフック６９を備える。
【００５９】
本実施の形態において、ワイヤスペーサ６１は、開口部Ｗｄを介してステージＳｇに対して着脱することができるようになっている。
【００６０】
そのために、前記規制部６３は、垂下部２４の上端から中央部に向けて延在する第１の規制部位６５、該第１の規制部位６５の端部から上方に向けて延在する付勢力発生部としての摘み部６６、及び各摘み部６６の先端間を結び、用紙の搬送方向における中央部に、上方に向けて突出する突出部を形成する第２の規制部位６７を備える。
【００６１】
また、前記開口部Ｗｄ内には、凸部３１及び摺動部３２が所定の間隔を置いて形成され、凸部３１と摺動部３２との間に、前記フック６９を収容し、位置決めする位置決め部７３が形成される。該位置決め部７３は、シートガイドＧｄの移動方向に並べて、互いに平行に形成され、フック６９を挿入するための複数の、本実施の形態においては、三つの穴ｈｉ（ｉ＝１、２、３）から成り、各穴ｈｉ内の内周面を形成する摺動部３２側の縁に、フック６９を係止させるための被係止部としてのエッジ７５が形成される。前記ワイヤスペーサ６１がステージＳｇに取り付けられたときに、各摘み部６６は所定の付勢力を発生させてステージＳｇに加え、フック６９をエッジ７５に係止させる。
【００６２】
前記ワイヤスペーサ６１をステージＳｇに取り付けるに当たり、まず、操作者は、第２の規制部位６７の両側の摘み部６６を指で挟み、図１８に示されるように、矢印Ｇ方向に押す。これに伴って、図１９に示されるように、摘み部６６の各下端が寄せられ、各フック６９間の距離が短くなるので、操作者は、垂下部２４及びフック６９を各穴ｈｉのうちの所定の穴内に挿入し、摘み部６６から指を離す。
【００６３】
これにより、図２０及び２１に示されるように、摘み部６６の各下端が離れ、各フック６９間の距離も長くなるので、フック６９をエッジ７５に係止させることができる。
【００６４】
このようにして、ワイヤスペーサ６１がステージＳｇに取り付けられると、操作者は、シートガイドＧｄを、側縁部Ｐｓ１に向けて移動させる。このとき、シートガイドＧｄは、ワイヤスペーサ６１の第１、第２の規制部位６５、６７に突き当てられる位置に固定される。
【００６５】
なお、操作者が、摘み部６６を指で挟み、摘み部６６の各下端を寄せることによって、ワイヤスペーサ６１をステージＳｇから取り外すことができる。
【００６６】
このように、本実施の形態においては、操作者が、摘み部６６を指で挟み、摘み部６６の各下端を寄せることによって、フック６９を穴ｈｉ内に挿入したり、穴ｈｉから取り出すことができるので、ワイヤスペーサ６１をステージＳｇに対して容易に着脱することができる。
【００６７】
また、穴ｈｉが複数形成されるので、シートガイドＧｄの移動方向における複数の位置、本実施の形態においては、穴ｈｉが形成された第１〜第３の位置でシートガイドＧｄの移動を規制し、シートガイドＧｄが固定される位置を選択することができる。
【００６８】
前記各実施の形態においては、プリンタ１０について説明しているが、本願明を複写機、ファクシミリ、複合機等の画像形成装置に適用することができる。
【００６９】
なお、本発明は前記各実施の形態に限定されるものではなく、本発明の趣旨に基づいて種々変形させることが可能であり、それらを本発明の範囲から排除するものではない。
【符号の説明】
【００７０】
２１、４１、６１    ワイヤスペーサ
２５    アーム部
２３、４３、６３    規制部
６６    摘み部
Ｇｄ    シートガイド
Ｓｇ    ステージ
【図１】
2019006537.tif 000003
【図２】
2019006537.tif 000004
【図３】
2019006537.tif 000005
【図４】
2019006537.tif 000006
【図５】
2019006537.tif 000007
【図６】
2019006537.tif 000008
【図７】
2019006537.tif 000009
【図８】
2019006537.tif 000010
【図９】
2019006537.tif 000011
【図１０】
2019006537.tif 000012
【図１１】
2019006537.tif 000013
【図１２】
2019006537.tif 000014
【図１３】
2019006537.tif 000015
【図１４】
2019006537.tif 000016
【図１５】
2019006537.tif 000017
【図１６】
2019006537.tif 000018
【図１７】
2019006537.tif 000019
【図１８】
2019006537.tif 000020
【図１９】
2019006537.tif 000021
【図２０】
2019006537.tif 000022
【図２１】
2019006537.tif 000023